(57)【要約】【課題】興趣性が良好なブーツ保持具を提供する。【解決手段】ブーツ保持具１は、被取付部２を有する基体３を備える。基体３には、両ブーツの胴筒部内に挿入して胴筒部を起立状態に保持する対をなす保持体４を設ける。基体３の被取付部２には、その被取付部２を取付用孔部５内に挿入してぬいぐるみ玩具６を取り付ける。両保持体４は、両ブーツの胴筒部を挟持してこれら両胴筒部を起立状態に保持する挟持状態と、その挟持を解除する挟持解除状態とに切換可能になっている。【選択図】図１
0003143886.tif 000002
【実用新案登録請求の範囲】
【請求項１】
左右一対のブーツを揃えて立てて置くのためのブーツ保持具であって、
被取付部を有する基体と、
この基体に設けられ、両ブーツの胴筒部内に挿入され、これら両ブーツの胴筒部を起立状態に保持する対をなす保持体と、
取付用孔部を有し、この取付用孔部内に前記被取付部が挿入された状態で前記被取付部に取り付けられたぬいぐるみ玩具と
を備えることを特徴とするブーツ保持具。
【請求項２】
基体の被取付部は、上方に向って縮径する略截頭円錐状の円錐状部分およびこの円錐状部分の下端部近傍の外周に設けられた鍔部分とを有し、
ぬいぐるみ玩具は、略円形環状の取付用環状部を有し、
前記取付用環状部を前記被取付部の前記円錐状部分の下端部外周に締め付けて固定する締付固定手段を備える
ことを特徴とする請求項１記載のブーツ保持具。
【請求項３】
両保持体は、両ブーツの胴筒部を挟持してこれら両胴筒部を起立状態に保持する挟持状態と、その挟持を解除する挟持解除状態とに切換可能になっており、
前記両保持体をこれら両保持体が挟持状態になるように付勢する付勢体と、
基体に前後方向に移動可能に設けられた操作体とを備え、
前記操作体を前記基体に対して前後いずれか一方向に移動させると、前記両保持体が、前記付勢体の付勢力にて互いに接近して挟持状態になり、
前記操作体を前記基体に対して前後いずれか他方向に移動させると、前記両保持体が、前記操作体による押圧にて前記付勢体の付勢力に抗して互いに離反して挟持解除状態になる
ことを特徴とする請求項１または２記載のブーツ保持具。
【請求項４】
両保持体は、弾性変形可能な付勢体にて連結されている
ことを特徴とする請求項３記載のブーツ保持具。
【請求項５】
保持体は、
収容部を有する長手状の保持部材と、
この保持部材に回動可能に設けられ、一方向への回動により前記保持部材と一直線上に位置し、他方向への回動により前記収容部に収容される長手状の延長保持部材とを有する
ことを特徴とする請求項１ないし４のいずれか一記載のブーツ保持具。
【請求項６】
延長保持部材は、保持部材にこの保持部材の長手方向に沿って上下動可能に設けられ、
前記保持部材と一直線上に位置した状態の前記延長保持部材を前記保持部材に対して下動させると、前記延長保持部材が前記保持部材に対してロックされ、
前記保持部材と一直線上に位置した状態の前記延長保持部材を前記保持部材に対して上動させると、前記延長保持部材の前記保持部材に対するロックが解除される
ことを特徴とする請求項５記載のブーツ保持具。
【考案の詳細な説明】
【技術分野】
【０００１】
本考案は、左右一対のブーツを揃えて立てて置くのためのブーツ保持具に関するものである。
【背景技術】
【０００２】
従来、この種のブーツ保持具として、例えばクリップ式の基体と、この基体に設けられ両ブーツの胴筒部内に挿入され両ブーツの胴筒部を起立状態に保持する伸縮可能な左右一対の保持体とを備えたものが知られている（例えば特許文献１参照）。
【特許文献１】特開２００４−３５８１６６号公報
【考案の開示】
【考案が解決しようとする課題】
【０００３】
しかしながら、上記従来のブーツ保持具のようにクリップ式の基体に左右一対の保持体を設けた構成では、例えば使用者にとっては面白みがなく、興趣性に欠けるおそれがある。
【０００４】
本考案は、このような点に鑑みなされたもので、興趣性が良好なブーツ保持具を提供することを目的とする。
【課題を解決するための手段】
【０００５】
請求項１記載のブーツ保持具は、左右一対のブーツを揃えて立てて置くのためのブーツ保持具であって、被取付部を有する基体と、この基体に設けられ、両ブーツの胴筒部内に挿入され、これら両ブーツの胴筒部を起立状態に保持する対をなす保持体と、取付用孔部を有し、この取付用孔部内に前記被取付部が挿入された状態で前記被取付部に取り付けられたぬいぐるみ玩具とを備えるものである。
【０００６】
請求項２記載のブーツ保持具は、請求項１記載のブーツ保持具において、基体の被取付部は、上方に向って縮径する略截頭円錐状の円錐状部分およびこの円錐状部分の下端部近傍の外周に設けられた鍔部分とを有し、ぬいぐるみ玩具は、略円形環状の取付用環状部を有し、前記取付用環状部を前記被取付部の前記円錐状部分の下端部外周に締め付けて固定する締付固定手段を備えるものである。
【０００７】
請求項３記載のブーツ保持具は、請求項１または２記載のブーツ保持具において、両保持体は、両ブーツの胴筒部を挟持してこれら両胴筒部を起立状態に保持する挟持状態と、その挟持を解除する挟持解除状態とに切換可能になっており、前記両保持体をこれら両保持体が挟持状態になるように付勢する付勢体と、基体に前後方向に移動可能に設けられた操作体とを備え、前記操作体を前記基体に対して前後いずれか一方向に移動させると、前記両保持体が、前記付勢体の付勢力にて互いに接近して挟持状態になり、前記操作体を前記基体に対して前後いずれか他方向に移動させると、前記両保持体が、前記操作体による押圧にて前記付勢体の付勢力に抗して互いに離反して挟持解除状態になるものである。
【０００８】
請求項４記載のブーツ保持具は、請求項３記載のブーツ保持具において、両保持体は、弾性変形可能な付勢体にて連結されているものである。
【０００９】
請求項５記載のブーツ保持具は、請求項１ないし４のいずれか一記載のブーツ保持具において、保持体は、収容部を有する長手状の保持部材と、この保持部材に回動可能に設けられ、一方向への回動により前記保持部材と一直線上に位置し、他方向への回動により前記収容部に収容される長手状の延長保持部材とを有するものである。
【００１０】
請求項６記載のブーツ保持具は、請求項５記載のブーツ保持具において、延長保持部材は、保持部材にこの保持部材の長手方向に沿って上下動可能に設けられ、前記保持部材と一直線上に位置した状態の前記延長保持部材を前記保持部材に対して下動させると、前記延長保持部材が前記保持部材に対してロックされ、前記保持部材と一直線上に位置した状態の前記延長保持部材を前記保持部材に対して上動させると、前記延長保持部材の前記保持部材に対するロックが解除されるものである。
【考案の効果】
【００１１】
請求項１に係る考案によれば、基体の被取付部が取付用孔部内に挿入された状態で基体の被取付部に取り付けられたぬいぐるみ玩具を備え、このぬいぐるみ玩具が使用者に面白みを与えるため、興趣性が良好である。
【００１２】
請求項２に係る考案によれば、締付固定手段を用いてぬいぐるみ玩具を基体の被取付部に容易かつ確実に取り付けることができる。
【００１３】
請求項３に係る考案によれば、操作体を前後方向に移動させることにより、両保持体を挟持状態および挟持解除状態に容易に切り換えることができる。
【００１４】
請求項４に係る考案によれば、両保持体が弾性変形可能な付勢体にて連結された構成であるため、各保持体を別々の付勢体で付勢する構成等に比べて、構成の簡素化を図ることができる。
【００１５】
請求項５に係る考案によれば、延長保持部材を回動させることにより保持体の長さを変えることができるため、高さの異なるブーツに適切に対応できる。
【００１６】
請求項６に係る考案によれば、延長保持部材を保持部材の長手方向に沿って上下動させることにより、延長保持部材の保持部材に対するロックおよびロック解除を容易に行うことができる。
【考案を実施するための最良の形態】
【００１７】
本考案のブーツ保持具の一実施の形態を図面を参照して説明する。
【００１８】
図１ないし図１１において、１はブーツ保持具で、このブーツ保持具１は、左右一対のブーツＡを揃えて立てて置くのためのブーツキーパである。ブーツＡは、ロングブーツ或いはセミロングブーツ等とも呼ばれるもので、例えば比較的柔らかい皮等からなる可撓性を有する略円筒状の胴筒部Ａ1を有している（図１７および図１８参照）。
【００１９】
ブーツ保持具１は、被取付部２を有する中空状の基体３と、基体３に設けられ両ブーツＡの胴筒部Ａ1内に上方から挿入されこれら両ブーツＡの胴筒部Ａ1を上下方向に沿った起立状態に保持する長手状の左右一対の保持体４と、取付用孔部５を有しこの取付用孔部５内に被取付部２が下方から挿入された状態で被取付部２に固定して取り付けられたぬいぐるみ玩具６とを備えている。
【００２０】
両保持体４は、互いに接近して両ブーツＡの胴筒部Ａ1をこれら両胴筒部Ａ1が重なり合うように左右から挟持してこれら両胴筒部Ａ1を起立状態に保持する挟持状態（閉状態）と、互いに離反してその挟持を解除する挟持解除状態（開状態）とに切換可能になっている。
【００２１】
また、ブーツ保持具１は、基体３内に配設され両保持体４をこれら両保持体４が互いに接近して挟持状態になるように付勢するばね板部である付勢体８と、基体３に前後方向に移動可能に設けられた開閉切換用の操作体９とを備えている。
【００２２】
両保持体４は、中間の一箇所で折り曲げられた屈曲板状の弾性変形可能な付勢体８にて連結され、この付勢体８を介して基体３に設けられている。すなわち、両保持体４の上端部相互が連結体である付勢体８にて一体に連結されており、この付勢体８は、基体３の下面開口11に挿通された状態で基体３内において前後方向の支軸部12に引っ掛けられて取り付けられている。
【００２３】
付勢体８は、支軸部12に引っ掛けられた略円弧状の連結板部8aと、この連結板部8aの両端から下方に向って突出し互いに対向する左右一対の対向板部8bとにて構成されている。対向板部8bの下端部に保持体４の上端部が一体に連結されている。
【００２４】
そして、操作体９を基体３に対して前後いずれか一方向、例えば後方に後位置まで移動させると、両保持体４が、付勢体８の弾性に基づく付勢力にて互いに接近して挟持状態になる。また、操作体９を基体３に対して前後いずれか他方向、例えば前方に前位置まで移動させると、両保持体４が、操作体９による押圧にて付勢体８の付勢力に抗して互いに離反して挟持解除状態になる。
【００２５】
基体３は、前後に２分割された前分割部材3aおよび後分割部材3bが互いに連結されて構成されている。基体３は、本体部13と、この本体部13の上面から上方に向って突出する略截頭円錐状の被取付部２を有している。
【００２６】
本体部13は、下面には付勢体８を挿通する下面開口11が形成され、前後面には軸挿通用孔14が形成されている。
【００２７】
被取付部２は、上方に向って縮径する略截頭円錐状の円錐状部分16と、この円錐状部分16の下端部近傍の外周に一体に突設された略円形環状の鍔部分17とを有している。鍔部分17は、周面に上方に向って縮径する截頭円錐面状の傾斜面18を有し、下面に水平方向に沿った水平面19を有している。
【００２８】
ぬいぐるみ玩具６は、例えば動物、人或いはキャタクタ等を模した形状に形成されている。ぬいぐるみ玩具６は、被取付部２に対応する形状で下方に向って開口する取付用孔部５を有し、この取付用孔部５に被取付部２が嵌入されている。
【００２９】
また、ぬいぐるみ玩具６は、図１６に示すように、取付用孔部５に臨む内袋部21を有し、この内袋部21の下端部には略円形環状の取付用環状部22が袋状に形成されている。なお、図１６に示す例では、取付用環状部22は、取付用孔部５の下端部に臨んでぬいぐるみ玩具６の下面よりやや上方に位置するが、例えば取付用環状部22がぬいぐるみ玩具６の下面より下方に突出する構成でもよい。
【００３０】
そして、図１５および図１６に示されるように、ぬいぐるみ玩具６の取付用環状部22内に帯状或いは線状の締付固定手段である締付バンド23が挿通され、この締付バンド23にて取付用環状部22が基体３の被取付部２の円錐状部分16の下端部外周面に締め付けられて固定されている。
【００３１】
操作体９は、図１１等に示されるように、上下面開口状の筒状部26と、筒状部26から前方に向って突出する前軸状部27と、筒状部26から後方に向って突出する後軸状部28とを有している。前軸状部27は、基体３の軸挿通用孔14に挿通されて基体３から前方に向って突出し、この突出部分の前端に略円板状の前操作部29が設けられている。同様に、後軸状部28は、基体３の軸挿通用孔14に挿通されて基体３から後方に向って突出し、この突出部分の後端に略円板状の後操作部30が設けられている。
【００３２】
また、筒状部26は、平面視で略半円をなす円弧面31を内周前側に有し、平面視で前側に頂点が位置し後側に底辺が位置する略三角形をなす三角面32を内周後側に有している。
【００３３】
そして、筒状部26の円弧面31は、図７に示されるように、保持体４の挟持状態時に、付勢体８の両対向板部8bの外周側に嵌まり込み、これら両対向板部8bを接近状態に維持する。すなわち操作体９の円弧面31と対向板部8bの受け面8cとが互いに嵌合し、この嵌合にて両保持体４が挟持状態にロックされる。また、筒状部26の三角面32は、図６に示されるように、保持体４の挟持解除状態時に、付勢体８の付勢力に抗して付勢体８の両対向板部8b間に入り込み、これら両対向板部8bを離反状態に維持する。すなわち操作体９の三角面32にて両保持体４が挟持解除状態にロックされる。
【００３４】
２本の両保持体４は、左右対称の構成になっており、各保持体４は、収容部40を有する長手状の保持部材41と、この保持部材41に前後方向の軸部43を中心として略１８０度回動可能に設けられ一方向への回動により保持部材41を延長するように保持部材41と一直線上に位置し他方向への回動により収容部40に収容される長手状の延長保持部材42とを有している。
【００３５】
すなわち、保持体４は、延長保持部材42が収容部40内に収容された短状態と、延長保持部材42で保持部材41の長さが延長された長状態とに切換可能になっている。なお、保持部材41と延長保持部材42とは略同じ長さで、保持体４は、長状態時には短状態時に比べてその長さが略２倍になる。
【００３６】
保持部材41は、互いに離間対向する前板部44と後板部45とを有し、これら両板部44，45間に収容部40が形成されている。前板部44の下端部に軸部43が設けられており、この軸部43は断面略小判状に形成されている。また、後板部45の上端部には、側方に向って開口する略半円状の嵌合凹部46が形成されている。後板部45の前面には補強用のリブ47が設けられている。
【００３７】
延長保持部材42は、保持部材41側の端部である基端部に前後面に開口した孔部48を有し、この孔部48に保持部材41の軸部43が挿通されている。この孔部48は、図１２等に示されるように、円形状孔48aとこの円形状孔48aに連通した矩形状孔48bとにて構成されている。また、延長保持部材42は、保持部材41側とは反対側の端部である先端部には、保持体４の短状態時に嵌合凹部46と嵌合する嵌合凸部49を有している。つまり、嵌合凹部46と嵌合凸部49との嵌合により保持体４が短状態にロックされる。
【００３８】
また、延長保持部材42は、保持部材41にこの保持部材41の長手方向に沿って軸部43の平面状のガイド面43aにて案内されつつ上下動可能に設けられている。すなわち、延長保持部材42は、軸部43の円弧面状のガイド面43bにて案内されつつこの軸部43を中心として回動し、かつ軸部43の平面状のガイド面43aにて案内されつつこの軸部43に沿って移動する。
【００３９】
そして、図１２ないし図１４に示すように、保持体４の短状態から延長保持部材42を保持部材41に対して軸部43を中心として回動させて保持部材41と一直線上に位置させた後、この保持部材41と一直線上に位置した状態の延長保持部材42を保持部材41に対して下動させると、延長保持部材42が保持部材41に対してロックされる。すなわち、軸部43が円形状孔48aから矩形状孔48bに移動し、この軸部43と延長保持部材42の矩形状孔48bに臨んだ部分である嵌合部50とが互いに嵌合し、この嵌合にて保持体４が長状態にロックされる。なお、保持部材41と一直線上に位置した状態の延長保持部材42を保持部材41に対して上動させると、軸部43と延長保持部材42の嵌合部50との嵌合が解かれ、延長保持部材42の保持部材41に対するロックが解除される。
【００４０】
次に、上記ブーツ保持具１の作用等を説明する。
【００４１】
まず、使用者は、ブーツＡの胴筒部Ａ1の長さに応じて、両保持体４を短状態か長状態かに設定する。
【００４２】
その後、脱いで揃えた両ブーツＡに向けて、胴筒部Ａ1を起立させた状態で両保持体４を挟持解除状態のまま下降させることにより、両保持体４を両ブーツＡの胴筒部Ａ1内に挿入する。
【００４３】
次いで、例えば使用者が前操作部29を押して操作体９を基体３に対して後方に向けて後位置まで移動させると、図１７および図１８に示されるように、両保持体４は、付勢体８の付勢力（弾性復元力）および円弧面31の対向板部8bの受け面8cに対する押圧力により、支軸部12を中心に回動し、互いに接近して挟持状態になる。その結果、両保持体４にて両ブーツＡの胴筒部Ａ1が挟持されて起立状態に保持される。よって、両ブーツＡの横倒れおよび型崩れが防止される。
【００４４】
また、ブーツＡを履く際には、例えば後操作部30を押して操作体９を基体３に対して前方に向けて前位置まで移動させることにより、両保持体４を三角面32の対向板部8bに対する押圧力で付勢体８の付勢力に抗して互いに離反させて挟持解除状態にした後、両保持体４を両ブーツＡの胴筒部Ａ1内から取り出す。
【００４５】
そして、このようなブーツ保持具１によれば、基体３の被取付部２が取付用孔部５内に挿入された状態で基体３の被取付部２に取り付けられたぬいぐるみ玩具６を備え、このぬいぐるみ玩具６が使用者に面白みを与えるため、興趣性が良好であり、よって、例えばゾウ、ウサギ、犬、猫等の複数種のぬいぐるみ玩具６を用意することにより、異なるぬいぐるみ玩具６を備えたブーツ保持具１を提供できる。
【００４６】
また、締付バンド23を用いることによりぬいぐるみ玩具６を基体３の被取付部２に容易かつ確実に取り付けることができる。
【００４７】
さらに、操作体９を基体３に対して前後方向に移動させることにより、両保持体４を挟持状態および挟持解除状態に容易に切り換えることができる。
【００４８】
また、両保持体４が弾性変形可能な付勢体８にて連結された構成であるため、左右の各保持体４を別々の付勢体で付勢する構成等に比べて、構成の簡素化を図ることができる。
【００４９】
さらに、保持部材41に対して延長保持部材42を回動させることにより各保持体４の長さを変えることができるため、高さの異なるブーツＡに適切に対応できる。
【００５０】
また、保持部材41に対して延長保持部材42を保持部材41の長手方向に沿って上下動させることにより、延長保持部材42の保持部材41に対するロックおよびロック解除を容易に行うことができる。
【００５１】
なお、例えば操作体９を基体３に対して前方に移動させると、両保持体４が付勢体８の付勢力にて互いに接近して挟持状態になり、操作体９を基体３に対して後方に移動させると、両保持体４が操作体９による押圧にて付勢体８の付勢力に抗して互いに離反して挟持解除状態になる構成でもよい。
【００５２】
また、例えば保持体４をブーツＡの胴筒部Ａ1内に嵌合挿入して胴筒部Ａ1を起立状態に保持する構成等でもよい。
【図面の簡単な説明】
【００５３】
【図１】本考案のブーツ保持具の一実施の形態の開状態時の斜視図である。
【図２】同上ブーツ保持具の開状態時の正面図である。
【図３】同上ブーツ保持具の開状態時の側面図である。
【図４】同上ブーツ保持具の閉状態時の正面図である。
【図５】同上ブーツ保持具の閉状態時の側面図である。
【図６】同上ブーツ保持具の開状態時の部分斜視図である。
【図７】同上ブーツ保持具の閉状態時の部分斜視図である。
【図８】同上ブーツ保持具の部分縦断面図である。
【図９】同上ブーツ保持具の部分横断面図である。
【図１０】同上ブーツ保持具を短状態にした斜視図である。
【図１１】同上ブーツ保持具の分解斜視図である。
【図１２】同上ブーツ保持具の延長保持部材の回動途中を示す図である。
【図１３】同上延長保持部材の回動終了を示す図である。
【図１４】同上延長保持部材のロック状態を示す図である。
【図１５】同上ブーツ保持具の締付固定手段を示す図である。
【図１６】同上ブーツ保持具のぬいぐるみ玩具の断面図である
【図１７】同上ブーツ保持具を背の高いブーツに装着した使用状態図である。
【図１８】同上ブーツ保持具を背の低いブーツに装着した使用状態図である。
【符号の説明】
【００５４】
１    ブーツ保持具
２    被取付部
３    基体
４    保持体
５    取付用孔部
６    ぬいぐるみ玩具
８    付勢体
９    操作体
16    円錐状部分
17    鍔部分
22    取付用環状部
23    締付固定手段である締付バンド
40    収容部
41    保持部材
42    延長保持部材
Ａ    ブーツ
Ａ1    胴筒部
【図１】
0003143886.tif 000003
【図２】
0003143886.tif 000004
【図３】
0003143886.tif 000005
【図４】
0003143886.tif 000006
【図５】
0003143886.tif 000007
【図６】
0003143886.tif 000008
【図７】
0003143886.tif 000009
【図８】
0003143886.tif 000010
【図９】
0003143886.tif 000011
【図１０】
0003143886.tif 000012
【図１１】
0003143886.tif 000013
【図１２】
0003143886.tif 000014
【図１３】
0003143886.tif 000015
【図１４】
0003143886.tif 000016
【図１５】
0003143886.tif 000017
【図１６】
0003143886.tif 000018
【図１７】
0003143886.tif 000019
【図１８】
0003143886.tif 000020